(57)【特許請求の範囲】
【請求項１】
自動分析装置の測定部に供給するための液体を収容する液体収容容器に取り付けられる液体吸引具において、
前記液体収容容器を構成する収容バッグに挿入される棒状に形成された吸引部と、
前記吸引部の軸方向の一端部が固定され、前記吸引部と前記収容バッグとを接続し、且つ前記収容バッグと液密に当接する接続部材と、
を備え、
前記吸引部における前記収容バッグに挿入された箇所の外周面には、前記収容バッグの内部と前記接続部材に接続される配管を連通させて前記液体が通過可能な溝部が形成されている
液体吸引具。
【請求項２】
前記溝部は、前記吸引部における軸方向の一端から他端にかけて連続して形成されている
請求項１に記載の液体吸引具。
【請求項３】
前記吸引部における前記一端部と反対側の他端部は、前記液体が排出されて前記収容バッグの底面部が前記収容バッグの内側に向けて折り込まれた際に、前記底面部における前記収容バッグの内側に折り込まれた屈曲部と接触しない位置に配置される
請求項１又は２に記載の液体吸引具。
【請求項４】
前記接続部材は、筒状に形成され、
軸方向の一端部に形成されて、前記吸引部の前記一端部が固定される固定部と、
軸方向の他端部に形成されて、前記収容バッグに設けられた挿入部が接続する接続部と、を有し、
前記接続部には、前記挿入部の端部が液密に当接するシール部材が設けられる
請求項１〜３のいずれかに記載の液体吸引具。
【請求項５】
自動分析装置の測定部に供給するための液体を収容する液体収容容器と、
前記液体収容容器に取り付けられる液体吸引具と、を備え、
前記液体収容容器は、
可撓性を有するシート部材により袋状に形成され、前記液体を収容する収容バッグと、
前記収容バッグに設けられた挿入部と、を備え、
前記液体吸引具は、
前記挿入部から前記収容バッグに挿入される棒状に形成された吸引部と、
前記吸引部の軸方向の一端部が固定されると共に前記挿入部に取り付けられ、前記吸引部と前記収容バッグとを接続し、且つ前記収容バッグと液密に当接する接続部材と、を備え、
前記吸引部における前記収容バッグに挿入された箇所の外周面には、前記収容バッグの内部と前記接続部材に接続される配管を連通させて前記液体が通過可能な溝部が形成されている
液体供給ユニット。
【請求項６】
被測定検体と試薬とを反応させた反応液の特性を測定する測定部と、
前記測定部に液体を供給する液体供給ユニットと、を備え、
前記液体供給ユニットは、
前記液体を収容する液体収容容器と、
前記液体収容容器に取り付けられる液体吸引具と、を備え、
前記液体収容容器は、
可撓性を有するシート部材により袋状に形成され、前記液体を収容する収容バッグと、
前記収容バッグに設けられた挿入部と、を備え、
前記液体吸引具は、
前記挿入部から前記収容バッグに挿入される棒状に形成された吸引部と、
前記吸引部の軸方向の一端部が固定されると共に前記挿入部に取り付けられ、前記吸引部と前記収容バッグとを接続し、且つ前記収容バッグと液密に当接する接続部材と、を備え、
前記吸引部における前記収容バッグに挿入された箇所の外周面には、前記収容バッグの内部と前記接続部材に接続される配管を連通させて前記液体が通過可能な溝部が形成されている
自動分析装置。
【発明の詳細な説明】
【技術分野】
【０００１】
本発明は、洗浄液や試薬等の液体を吸引する液体吸引具、及びこの液体吸引具を有する液体供給ユニット、並びに液体供給ユニットを有する自動分析装置に関する。
【背景技術】
【０００２】
従来から、血液や尿等の生体試料である検体の中にある特定物質を定量的に測定する自動分析装置が知られている。このような自動分析装置は、検体の測定を行う測定部に用いられる洗浄液や試薬等の液体を収容する液体収容容器を有している。そして、液体は、液体吸引具を介して液体収容容器から測定部へ供給されている。
【０００３】
従来のこの種の液体収容容器としては、例えば、特許文献１に記載されているようなものがある。特許文献１には、可撓性を有する容器本体と、容器本体に挿入されるパイプ状のチューブと、を備えた技術が開示されている。この特許文献１に開示されて技術は、液体吸引具に相当するチューブにより収容バッグに相当する容器本体に収容された液体を吸引し、吸引した液体を自動分析装置に相当する血液分析装置に供給している。
【０００４】
また、収容バッグに残留する液体の量を減らすために、特許文献２には、収容バッグにおける液体が排出される排出口を鉛直方向の下方に向ける技術が記載されている。
【先行技術文献】
【特許文献】
【０００５】
【特許文献１】特開２００５−１８１３０９号公報
【特許文献２】特開２０１１−１７９９５４号公報
【発明の概要】
【発明が解決しようとする課題】
【０００６】
しかしながら、特許文献１に記載された技術では、容器本体から液体が排出されて容器本体がしぼむと、容器本体の内壁によりチューブの開口が塞がれるため、チューブの筒孔内には、液体が残留していた。
【０００７】
吸引部の内部に残留する液体の量を減らすために、吸引部の径を小さくし、液体が通過する筒孔の内径も小さくすることが考えられる。しかしながら、吸引部の径を小さくした場合、吸引部自体の強度が低下するため、吸引部が曲がったり、折れたりするおそれがあり、吸引不良が発生するという問題を有していた。
【０００８】
また、吸引部の筒孔の内径のみを小さくすることも考えられるが、この場合では、吸引部を製造する際に、筒孔が塞がれるおそれがあった。そのため、吸引部の筒孔の内径のみを小さくすることは、吸引部を製造する観点から困難であった。
【０００９】
また、特許文献２に記載された技術では、収容バッグと吸引部との接続箇所から液体が漏れ出るおそれがあり、さらに漏れ出た液体により装置が故障するおそれがあった。
【００１０】
本発明の目的は、上記の問題点を考慮し、吸引部の強度を保ちながら吸引部に残る液体の量を減らすことができる液体吸引具、液体供給ユニット及び自動分析装置を提供することにある。
【課題を解決するための手段】
【００１１】
上記課題を解決し、本発明の目的を達成するため、本発明の液体吸引具は、自動分析装置の測定部に供給するための液体を収容する液体収容容器に取り付けられる液体吸引具である。液体吸引具は、棒状に形成された吸引部と、接続部材と、を備えている。吸引部は、液体収容容器を構成する収容バッグに挿入される。接続部材は、吸引部の軸方向の一端部が固定され、吸引部と収容バッグとを接続し、且つ収容バッグと液密に当接する。また、吸引部における収容バッグに挿入された箇所の外周面には、収容バッグの内部と接続部材に接続される配管を連通させて液体が通過可能な溝部が形成されている。
【００１２】
本発明の液体供給ユニットは、自動分析装置の測定部に供給するための液体を収容する液体収容容器と、液体収容容器に取り付けられる液体吸引具と、を備えている。液体収容容器は、可撓性を有するシート部材により袋状に形成され、液体を収容する収容バッグと、収容バッグに設けられた挿入部と、を備えている。液体吸引具は、棒状に形成された吸引部と、接続部材と、を備えている。吸引部は、挿入部から収容バッグに挿入される。接続部材は、吸引部の軸方向の一端部が固定され、吸引部と収容バッグとを接続し、且つ収容バッグと液密に当接する。また、吸引部における収容バッグに挿入された箇所の外周面には、収容バッグの内部と接続部材に接続される配管を連通させて液体が通過可能な溝部が形成されている。
【００１３】
また、本発明の自動分析装置は、被測定検体と試薬とを反応させた反応液の特性を測定する測定部と、測定部に液体を供給する液体供給ユニットと、を備えている。液体供給ユニットは、液体を収容する液体収容容器と、液体収容容器に取り付けられる液体吸引具と、を備えている。液体収容容器は、可撓性を有するシート部材により袋状に形成され、液体を収容する収容バッグと、収容バッグに設けられた挿入部と、を備えている。液体吸引具は、棒状に形成された吸引部と、接続部材と、を備えている。吸引部は、挿入部から収容バッグに挿入される。接続部材は、吸引部の軸方向の一端部が固定され、吸引部と収容バッグとを接続し、且つ収容バッグと液密に当接する。また、吸引部における収容バッグに挿入された箇所の外周面には、収容バッグの内部と接続部材に接続される配管を連通させて液体が通過可能な溝部が形成されている。
【発明の効果】
【００１４】
本発明の液体吸引具、液体供給ユニット及び自動分析装置によれば、吸引部の強度を保ちながら吸引部に残る液体の量を減らすことができる。
【図面の簡単な説明】
【００１５】
【図１】本発明の第１の実施の形態例にかかる自動分析装置の概略構成を示す模式図である。
【図２】本発明の第１の実施の形態例にかかる液体供給ユニットを示す正面図である。
【図３】本発明の第１の実施の形態例にかかる液体供給ユニットを示す断面図である。
【図４】本発明の第１の実施の形態例にかかる液体吸引具を示す斜視図である。
【図５】本発明の第１の実施の形態例にかかる液体吸引具と液体収容容器との接続箇所を示す断面図である。
【図６】図２に示すＴ−Ｔ線断面図である。
【図７】本発明の第１の実施の形態例にかかる液体供給ユニットを示すもので、液体収容容器から液体が排出された状態を示す斜視図である。
【図８】図７に示すＳ−Ｓ線断面図である。
【図９】本発明の第２の実施の形態例にかかる液体吸引具を示す斜視図である。
【図１０】本発明の第２の実施の形態例にかかる液体供給ユニットを示す正面図である。
【図１１】図１０に示すＲ−Ｒ線断面図である。
【発明を実施するための形態】
【００１６】
以下、本発明の液体吸引具、液体供給ユニット及び自動分析装置の実施の形態例について、図１〜図１１を参照して説明する。なお、各図において共通の部材には、同一の符号を付している。また、説明は以下の順序で行うが、本発明は、必ずしも以下の形態に限定されるものではない。
１．第１の実施の形態例
１−１．自動分析装置の構成
１−２．液体供給ユニットの構成
１−３．液体供給ユニットの動作
２．第２の実施の形態例
【００１７】
１．第１の実施の形態例
１−１．自動分析装置の構成
まず、本発明の第１の実施の形態例（以下、「本例」という。）にかかる自動分析装置について図１を参照して説明する。
図１は、本例の自動分析装置を模式的に示す説明図である。
【００１８】
図１に示す装置は、本発明の自動分析装置の一例として生化学分析装置１００である。生化学分析装置１００は、血液や尿などの生体試料に含まれる特定の成分の量を自動的に測定する装置である。生化学分析装置１００は、生体試料に含まれる特定の成分の量を自動的に測定する測定部１と、測定部１に供給する液体を収容する液体供給ユニット１０と、を有している。
【００１９】
測定部１は、検体と試薬とを撹拌して反応させた反応液の特性を測定する。この測定部１には、被測定検体である検体を収容する検体ユニット、試薬を収容する試薬ユニットや、検体と試薬とを分注させる分注ピペット、反応液を撹拌する撹拌ユニット等を有している。また、測定部１には、分注ピペット、撹拌ユニットの撹拌子や試薬ユニット等を洗浄する洗浄液や、試薬ユニットに収容される試薬等の液体が液体供給ユニット１０から供給される。
【００２０】
１−２．液体供給ユニットの構成
次に、液体供給ユニット１０の詳細な構成について図１〜図７を参照して説明する。
図２は、液体供給ユニット１０を示す正面図、図３は、液体供給ユニット１０を示す断面図である。
【００２１】
図１及び図２に示すように、液体供給ユニット１０は、液体を収容する液体収容容器１１と、液体収容容器１１に取り付けられる液体吸引具１２とを備えている。また、図１に示すように、液体供給ユニット１０は、接続チューブ１３を介して測定部１に接続されている。接続チューブ１３には、吸引ポンプ１４と、圧力センサ１５が配置されている。吸引ポンプ１４は、接続チューブ１３及び、液体吸引具１２を介して液体収容容器１１に収容された液体を吸引する。圧力センサ１５は、接続チューブ１３の圧力を検知する。
【００２２】
［液体収容容器］
図２に示すように、液体収容容器１１は、液体Ｍ１が充填される収容バッグ２１と、液体吸引具１２との接続を行う容器側接続部材２３とを有している。
【００２３】
収容バッグ２１は、可撓性を有するシート部材２４により構成されている。収容バッグ２１は、シート部材２４を用いて袋状に形成されている。収容バッグ２１における一端部には、開口部２１ａが形成されており、開口部２１ａと反対側の他端部には、略楕円形状の底面部２１ｂ（図１参照）が形成されている。
【００２４】
底面部２１ｂには、屈曲部２１ｃが設けられている。屈曲部２１ｃは、底面部２１ｂの略中央において収容バッグ２１の幅方向に沿って形成されている。収容バッグ２１から液体Ｍ１が排出されると、屈曲部２１ｃは、収容バッグ２１の内側に向けて折れ曲がる（図７参照）。
【００２５】
収容バッグ２１を構成するシート部材２４の材質としては、可撓性を有し、柔軟性に優れたものが好ましく、例えば、低密度ポリエチレン、エチレン酢酸ビニルコポリマー、ポリプロピレン系コポリマーや軟質ポリ塩化ビニル等が挙げられる。この他に、ポリプロピレン系熱可塑性樹脂に少なくとも２種以上の熱可塑性エラストマーを配合したものを用いてもよい。
【００２６】
図２及び図３に示すように、また、収容バッグ２１の開口部２１ａには、容器側接続部材２３がその開口を塞ぐようにして取り付けられている。容器側接続部材２３は、底面部２１ｂと同様に、略楕円形状に形成されている。
【００２７】
容器側接続部材２３には、筒状の挿入部２６を有している。挿入部２６は、容器側接続部材２３の一面から収容バッグ２１と反対側に向けて突出している。図３に示すように、挿入部２６の筒孔２６ａは、容器側接続部材２３の一面から他面にかけて貫通している。挿入部２６の側面部には、雄ねじ部が形成されている。そして、容器側接続部材２３には、液体吸引具１２が接続される。
【００２８】
また、本例では、収容バッグ２１の開口部２１ａに容器側接続部材２３を取り付けた例を説明したが、これに限定されるものではない。例えば、収容バッグ２１に筒状の挿入部２６を直接取り付けてもよい。
【００２９】
［液体吸引具］
図４は、液体吸引具１２を示す斜視図、図５は、液体吸引具１２と液体収容容器１１との接続箇所を示す断面図、図６は、図２に示すＴ−Ｔ線断面図である。
【００３０】
図４に示すように、液体吸引具１２は、棒状の吸引部３１と、接続部材３２と、接続配管３３とを有している。接続配管３３は、接続チューブ１３に接続される（図１参照）。
【００３１】
［吸引部］
吸引部３１は、略円柱状に形成されている。吸引部３１の側面部には、液体Ｍ１が通過する溝部３４が形成されている。図６に示すように、溝部３４は、吸引部３１の側面部から吸引部３１の軸心に向けて凹んだ凹部である。また、図３に示すように、溝部３４は、吸引部３１の軸方向の一端部３１ａから他端部３１ｂにかけて連続して形成されている。
【００３２】
なお、本例では、溝部３４を吸引部３１の一端部３１ａから他端部３１ｂにかけて連続して形成した例を説明したが、これに限定されるものではない。溝部３４を形成する長さは、例えば、吸引部３１の軸方向の一端部３１ａから中途部まででもよい。また、吸引部３１の側面部に溝部３４を複数形成してよい。
【００３３】
そして、図５に示すように、吸引部３１の一端部３１ａは、接続部材３２に固定される。また、図３に示すように、吸引部３１の他端部３１ｂは、容器側接続部材２３の挿入部２６から収容バッグ２１の内部に挿入される。
【００３４】
［接続部材］
図４に示すように、接続部材３２は、略筒状に形成されている。図５に示すように、接続部材３２は、第１嵌入部３６と、第２嵌入部３７と、螺合部３８と、シール部材３９を有している。
【００３５】
第１嵌入部３６は、接続部材３２の軸方向の一端部に形成されている。第１嵌入部３６には、接続配管３３が嵌め入れられる。なお、接続配管３３を省いて、接続チューブ１３を直接、接続部材３２の第１嵌入部３６に嵌め入れてもよい。
【００３６】
固定部の一例を示す第２嵌入部３７は、接続部材３２の軸方向の中途部に形成されている。第２嵌入部３７には、吸引部３１の一端部３１ａが嵌め入れられている。これにより、第２嵌入部３７には、吸引部３１の一端部３１ａが固定される。そして、接続部材３２を介して吸引部３１と接続配管３３が接続される。
【００３７】
このとき、吸引部３１の一端部３１ａと、第２嵌入部３７における第１嵌入部３１との接続側の端部には、隙間が形成される。そして、吸引部３１の溝部３４を通過した液体Ｍ１は、一端部３１ａと第２嵌入部３７との隙間を通過し、第１嵌入部３１に嵌入する接続配管３３に流れる。
【００３８】
また、第１嵌入部３６における第２嵌入部３７側の開口が、第２嵌入部３７に嵌入した吸引部３１の溝部３４における一端部３１ａ側の開口と対向する位置に、第１嵌入部３６を設けてもよい。これにより、吸引部３１の一端部３１ａと第２嵌入部３７との間に隙間を設けなくても、溝部３４を通過した液体Ｍ１を接続部材３２や接続チューブ１３に流すことができる。その結果、接続部材３２に残留する液体Ｍ１の量を軽減することができる。
【００３９】
また、本例では、接続部材３２と吸引部３１との固定方法として、吸引部３１を第２嵌入部３７へ嵌入させる例を説明したが、これに限定されるものではない。接続部材３２と吸引部３１との固定方法としては、接着や、螺合等その他各種の固定方法を用いることができるものである。
【００４０】
接続部の一例を示す螺合部３８は、接続部材３２の軸方向の他端部に形成されている。螺合部３８の内壁には、挿入部２６の雌ねじ部と螺合するねじ溝が形成されている。そして、接続部材３２は、螺合部３８を挿入部２６に螺合することで、挿入部２６に取り付けられる。このとき、吸引部３１は、挿入部２６の筒孔２６ａから収容バッグ２１の内部に挿入される。
【００４１】
また、螺合部３８の内径は、第２嵌入部３７の内径よりも大きく設定されている。そして、螺合部３８における第２嵌入部３７側の端部には、シール部材３９が配置されている。シール部材３９としては、例えば、Ｏリングや、パッキング等が用いられる。
【００４２】
また、本例では、接続部材３２と挿入部２６との接続方法として、雌ねじ部とねじ溝を螺合する例を説明したが、これに限定されるものではない。接続部材３２と挿入部２６との接続方法としては、嵌合や、係合等その他各種の接続方法を用いることができるものである。
【００４３】
１−３．液体供給ユニットの動作
次に、上述した構成を有する液体供給ユニット１０の動作について、図１〜図８を参照して説明する。
図７は、液体収容容器１１から液体が排出された状態を示す斜視図、図８は、図７に示すＳ−Ｓ線断面図である。
【００４４】
まず、図２に示すように、作業者は、液体収容容器１１の挿入部２６から液体吸引具１２の吸引部３１を収容バッグ２１の内部に挿入する。なお、収容バッグ２１には、予め液体が充填されている。次に、作業者は、接続部材３２の螺合部３８と挿入部２６を螺合し、接続部材３２を挿入部２６に取り付ける。このとき、挿入部２６の軸方向の一端部がシール部材３９に液密に当接する。これにより、液体吸引具１２と液体収容容器１１の接続箇所から液体Ｍ１が漏れ出ることを防ぐことができる。
【００４５】
次に、図１に示すように、作業者又は不図示の制御部により、不図示の吸引ポンプ１４を駆動させる。吸引ポンプ１４が駆動することで、収容バッグ２１内に残留する空気が、吸引部３１、接続配管３３及び接続チューブ１３を介して収容バッグ２１から外側へ排出される。
【００４６】
収容バッグ２１に残留する空気の排出が完了すると、図５に示すように、収容バッグ２１に収容された液体Ｍ１は、吸引部３１に形成された溝部３４を通過する。溝部３４を通過した液体Ｍ１は、接続部材３２及び接続配管３３を通過して接続チューブ１３（図１参照）に流れ出る。そして、図１に示すように、液体Ｍ１は、接続チューブ１３から測定部１の各ユニットに供給される。
【００４７】
ここで、吸引部３１を中実の棒状に形成し、かつ液体Ｍ１が通過する通液路を溝部３４として形成したことで、中空の筒孔を有する従来の吸引部に比べて、吸引部３１の強度を高めることができる。その結果、吸引部３１が曲がったり、折れたりすることを防ぐことができる。
【００４８】
さらに、吸引部３１を中実の棒状に形成することで、一端部３１ａや他端部３１ｂの形状を種々に変更することが可能となる。例えば、吸引部３１を挿入部２６の筒孔２６ａに挿入し易くするために、他端部３１ｂを円錐状や半球状に形成することもできる。また、吸引部３１の一端部３１ａに接続部材３２に係止するための切り欠きを設けることもできる。
【００４９】
また、収容バッグ２１から液体Ｍ１が吸引されると、図７に示すように、収容バッグ２１がしぼみ、底面部２１ｂの屈曲部２１ｃが収容バッグ２１の内側に向けて折れ曲がる。そして、底面部２１ｂの屈曲部２１ｃが吸引部３１の他端部３１ｂに接近する。さらに、収容バッグ２１から液体Ｍ１が吸引されると、図８に示すように、収容バッグ２１の内壁が吸引部３１の側面部に密着し、収容バッグ２１の内壁が吸引部３１における溝部３４の開放部を覆う。
【００５０】
このとき、収容バッグ２１を形成するシート部材２４と吸引部３１の溝部３４で形成される空間Ｑ１によって、液体Ｍ１が通過する通液路を形成する。その結果、収容バッグ２１の内壁が吸引部３１に密着しても、収容バッグ２１内に残留する液体Ｍ１を吸い出すことができる。
【００５１】
ここで、図７に示すように、収容バッグ２１の底面部２１ｂが収容バッグ２１の内側に折り込まれた際に、吸引部３１の他端部３１ｂは、屈曲部２１ｃに接近、又は屈曲部２１ｃに接触しない位置に配置されている。これにより、収容バッグ２１の底面部２１ｂが折り畳まれる際に、吸引部３１が底面部２１ｂと干渉することを防ぐことができる。その結果、収容バッグ２１の底面部２１ｂを隙間なく折り畳むことができ、収容バッグ２１内に残留する液体Ｍ１の量を軽減することができる。
【００５２】
なお、収容バッグ２１に残留する液体Ｍ１の量を軽減するためには、吸引部３１の他端部３１ｂと折り畳まれた際の屈曲部２１ｃとの距離を狭めることが好ましい。
【００５３】
また、吸引部３１の軸方向の長さは、上述したものに限定されるものではない。例えば、収容バッグ２１に挿入した際に、吸引部３１の他端部３１ｂが底面部２１ｂに接触してもよい。
【００５４】
次に、収容バッグ２１に収容された液体Ｍ１の吸い出しが完了すると、接続チューブ１３内の圧力が大気圧より低くなり負圧となる。そして、圧力センサ１５は、接続チューブ１３の圧力が負圧となったことを検知する。次に、圧力センサ１５は、作業者に報知する又は、検知した圧力情報を不図示の制御部に送信する。そして、作業者は、報知した情報に基づいて吸引ポンプ１４の駆動を停止させる。または、制御部は、受信した圧力情報に基づいて吸引ポンプ１４の駆動を停止させる。これにより、液体供給ユニットが液体を測定部１へ供給する動作が完了する。
【００５５】
本例では、液体Ｍ１が通過する通液路を溝部３４としたことで、吸引部３１を形成する溝部３４の深さや幅を容易に小さくすることができ、吸引部３１に残留する液体Ｍ１の量を減らすことができる。また、吸引部３１の径を小さくすることなく、溝部３４の深さや幅を小さくすることができるため、吸引部３１の強度が低下することを防ぐこともできる。さらに、棒状の部材の側面部に軸方向に沿って延在する溝部３４を形成するだけで、液体Ｍ１が通過する通液路を形成することができる。そのため、吸引部３１を容易に製造することが可能となる。
【００５６】
２．第２の実施の形態例
次に、図９〜図１１を参照して、本発明の液体吸引具の第２の実施の形態例について説明する。
図９は、第２の実施の形態例にかかる液体吸引具を示す斜視図、図１０は、第２の実施の形態例にかかる液体吸引具を有する液体供給ユニットを示す正面図である。図１１は、図１０に示すＲ−Ｒ線断面図である。
【００５７】
この第２の実施の形態例にかかる液体吸引具５１が、第１の実施の形態例にかかる液体吸引具１２と異なる点は、吸引部の形状である。そのため、ここでは、吸引部について説明し、第１の実施の形態例にかかる液体吸引具１２と共通する部分には、同一の符号を付して重複した説明を省略する。
【００５８】
図９〜図１１に示すように、液体吸引具５１は、棒状の吸引部６１と、接続部材３２と、接続配管３３とを有している。吸引部６１は、略楕円柱状に形成されている。吸引部６１の側面部には、軸方向に沿って溝部６４が形成されている。
【００５９】
図１０に示すように、吸引部６１は、その側面部において曲率半径が大きい面を、収容バッグ２１を形成するシート部材２４の一面と対向するようにして収容バッグ２１の内部に挿入される。これにより、液体Ｍ１が排出されて収容バッグ２１がしぼみ、互いに対向するシート部材２４が重なり合う際に、収容バッグ２１の内壁と吸引部６１の側面部との密着度を高めることができる。その結果、収容バッグ２１と吸引部６１との間に形成される隙間を小さくすることができ、収容バッグ２１に残留する液体Ｍ１の量を軽減することができる。
【００６０】
その他の構成は、上述した第１の実施の形態例にかかる液体吸引具１２と同様であるため、それらの説明は省略する。このような構成を有する液体吸引具５１によっても、上述した第１の実施の形態例にかかる液体吸引具１２と同様の作用及び効果を得ることができる。
【００６１】
なお、本発明は上述しかつ図面に示した実施の形態に限定されるものではなく、特許請求の範囲に記載した発明の要旨を逸脱しない範囲内で種々の変形実施が可能である。例えば、上述した実施の形態例では、自動分析装置として、血液や尿の生体試料の分析に用いられる生化学分析装置に適用した例を説明したが、これに限定されるものでなく、水質や、食品等のその他各種の分析を行う装置に適用することができるものである。
【００６２】
また、吸引部の形状は、円柱状や楕円柱状に限定されるものではなく、例えば、四角柱状や角柱を扁平させた形状等その他各種の形状に形成してもよい。
【符号の説明】
【００６３】
１…測定部、  １０…液体供給ユニット、  １１…液体収容容器、  １２，５１…液体吸引具、  １３…接続チューブ、  １４…吸引ポンプ、  １５…圧力センサ、  ２１…収容バッグ、  ２１ａ…開口部、  ２１ｂ…底面部、  ２１ｃ…屈曲部、  ２３…容器側接続部材、  ２４…シート部材、  ２６…挿入部、  ２６ａ…筒孔、  ３１，６１…吸引部、  ３１ａ…一端部、  ３１ｂ…他端部、  ３２…接続部材、  ３３…接続配管、  ３４，６４…溝部、  ３６…第１嵌入部、  ３７…第２嵌入部（固定部）、  ３８…螺合部（接続部）、  ３９…シール部材、  １００…生化学分析装置（自動分析装置）、  Ｍ１…液体、  Ｑ１…空間
【図１】
0006385800.tif 000002
【図２】
0006385800.tif 000003
【図３】
0006385800.tif 000004
【図４】
0006385800.tif 000005
【図５】
0006385800.tif 000006
【図６】
0006385800.tif 000007
【図７】
0006385800.tif 000008
【図８】
0006385800.tif 000009
【図９】
0006385800.tif 000010
【図１０】
0006385800.tif 000011
【図１１】
0006385800.tif 000012